(57)【要約】【課題】立体感に富んだ見栄えを実現することが可能な計器装置を提供する。【解決手段】指針６と、この指針６の指示対象となる指標部５２が設けられた表示板５と、この表示板５の前方に配置され指針６の作動範囲を取り巻く筒状部材７とを備え、表示板５の前方に光源Ｌ２からの光を受けて発光する立体構造物でなる複数の透光体８１を設け、筒状部材７透光体８１を収容すると共にその一部を突出させる収容部７１を設けたことにより、光源Ｌ２の点灯時に立体的な見栄えを実現することができる。すなわち、立体造形物でなる複数の透光体８１を表示板５上に配置するだけでなく、筒状部材７の収容部７１から突出させたことにより、透光体８１の立体造形を際だたせることができ、立体感に富んだ見栄えを実現できる。【選択図】図２
2006126048.tif 000002
【特許請求の範囲】
【請求項１】
指針と、
この指針の指示対象となる指標部が設けられた表示板と、
この表示板の前方に配置され前記指針の作動範囲を取り巻く筒状部材とを備え、
前記表示板の前方に光源からの光を受けて発光する立体構造物でなる複数の透光体を設け、
前記筒状部材に前記各透光体を収容すると共にその一部を突出させる収容部を設けたことを特徴とする計器装置。
【請求項２】
前記透光体が指針動作に対応した目盛を構成することを特徴とする請求項１記載の計器装置。
【請求項３】
複数の前記透光体が連結部を通じて一体化されており、この連結部を通じて導かれた光によって前記各透光体が発光すると共に前記筒状部材には、前記連結部を隠蔽する遮蔽部が設けられることを特徴とする請求項１記載の計器装置。
【請求項４】
前記連結部と前記透光体との連結箇所に連結部に導かれた光を前記透光体側に反射する反射部を設けたことを特徴とする請求項１記載の計器装置。
【請求項５】
前記透光体が前記表示板に沿って伸びる第１の構造部と前記収容部から突出する第２の構造部とを有することを特徴とする請求項１記載の計器装置。
【発明の詳細な説明】
【技術分野】
【０００１】
本発明は、例えば自動車のダッシュボードに搭載される指針式の計器装置に関するものである。
【背景技術】
【０００２】
この種の指針式の計器装置にあっては、例えば下記特許文献１に記載されているように、指針の指示対象となる指標部が形成された表示板上に透明板を配置し、この透明板の裏側に溝部からなる目盛を設け、透明板に光源の光を導入することにより、溝部からなる目盛を発光させるものが知られている。
【特許文献１】特開２００３−３０２２６２号公報
【発明の開示】
【発明が解決しようとする課題】
【０００３】
しかしながら前記特許文献１記載の計器装置は、透明板に形成した溝部を発光させるに過ぎない構造であるため、立体感を演出するには限界があり、立体感に乏しいという問題があった。
そこで本発明は、立体感に富んだ見栄えを実現することが可能な計器装置を提供するものである。
【課題を解決するための手段】
【０００４】
本発明は、前記目的を達成するため、指針と、この指針の指示対象となる指標部が設けられた表示板と、この表示板の前方に配置され前記指針の作動範囲を取り巻く筒状部材とを備え、前記表示板の前方に光源からの光を受けて発光する立体構造物でなる複数の透光体を設け、前記筒状部材に前記各透光体を収容すると共にその一部を突出させる収容部を設けたことを特徴とする。
【０００５】
また本発明は、前記透光体が指針動作に対応した目盛を構成することを特徴とする。
【０００６】
また本発明は、複数の前記透光体が連結部を通じて一体化されており、この連結部を通じて導かれた光によって前記各透光体が発光すると共に前記筒状部材には、前記連結部を隠蔽する遮蔽部が設けられる。
【０００７】
また本発明は、前記連結部と前記透光体との連結箇所に連結部に導かれた光を前記透光体側に反射する反射部を設けたことを特徴とする。
【０００８】
また本発明は、前記透光体が前記表示板に沿って伸びる第１の構造部と前記収容部から突出する第２の構造部とを有することを特徴とする。
【発明の効果】
【０００９】
本発明によれば、初期の目的を達成でき、立体感に富んだ見栄えを実現することが可能な計器装置を提供することができる。
【発明を実施するための最良の形態】
【００１０】
以下、図面に基づいて本発明による計器装置の実施形態について説明する。
【００１１】
図１〜図４は、本発明の一実施形態を示すもので、図１は本実施形態による計器装置の正面図、図２は図１のＡ−Ａ断面図、図２は図１のＢ−Ｂ断面図、図４は透光部材を示す平面図、図５は透光体とその周辺部を示す要部斜視図である。
【００１２】
本実施形態による計器装置は、図１及び図２に示すように、回路基板１と、この回路基板１の背後に本体部が配置され指針軸２が回路基板１を貫通して伸びる駆動装置３と、回路基板１の前方に配置される枠体４と、この枠体４の前方に配置される表示板５と、駆動装置３の指針軸２に連結され表示板５上を回転動作する指針６と、この指針６の作動範囲外縁を取り巻いて前方に伸びる筒状部材７と、この筒状部材７と表示板５との間に配置される透光部材８とで構成されている。
【００１３】
回路基板は、周知の硬質回路基板からなり、その背面に駆動装置３が実装される他、前面には発光ダイオードからなる複数の光源Ｌ１が実装されている。なおこれら光源Ｌ１は、表示板５の後述する指標部と指針６とをそれぞれ照明するものである。
【００１４】
駆動装置３は、例えばステッピングモータからなり、計測量に応じて指針軸２に連結された指針６を回転させる。
【００１５】
枠体４は、例えば白色の合成樹脂からなり、フレーム体としての機能の他、表示板５と指針６とを照明する照明室の機能も有している。
【００１６】
表示板５は、遮光性の地部（例えば黒色）５１と光透過性の指標部（例えば白色）５２とを有し、これら地部５１と指標部５２は、透光性基材５３に設けられた印刷層でなる。
またこの場合、指標部５２は光源Ｌ１によって例えば白色に透過照明される。なおこの場合、指標部５２は数字部５２ａと目盛部５２ｂとでなり、目盛部５２ｂは太目盛５２１と細目盛５２２からなる。
【００１７】
指針６は、透光性の指示部を備えており、光源Ｌ１によって例えば赤色に照明される。
【００１８】
筒状部材７は、例えば黒色の遮光性を有する合成樹脂からなり、指針６と指標部５２とで構成される指針式表示部の輪郭を形成すると共に、不要なエリアが視認されないように隠蔽するもので、透光部材８の後述する透光体に対応して指針６の作動範囲（指針６の回転中心側）に開口する開口部７１ａを有する複数の収容部７１を備え、これら収容部７１は、図１において指針６の回転中心を基点とした放射状に設けられている。なお収容部７１の周囲には、透光部材８の後述する連結部が不可視となるように隠蔽する隠蔽部７２（特に図３参照）が形成されている。
【００１９】
透光部材８は、実質的に無色透明な合成樹脂からなり、所定形状を有する立体構造物でなる複数の透光体８１と、これら透光体８１を連結する略円弧状の連結部８２とで構成されている。
【００２０】
透光体８１の各々は、図３に示す平面形状において、指針６の回転中心を基点とした放射状に設けられており、筒状部材７の収容部７１内に収容されると共にその一部、即ち指針６の作動範囲に近い側が開口部７１ａから突出して視認されるようになっており、本例の場合、後述する第１の構造部が表示板５の太目盛５２１と共に指針６の指示対象となる目盛を形成するものである。なお本例の場合、透光体８１の第１の構造部と表示板５の太目盛５２１とは、図１の平面視において略同サイズに形成されている。
【００２１】
また透光体８１の各々は、図２に示す断面形状において、表示板５に沿って伸びる第１の構造部８１１と収容部７１から露出する第２の構造部８１２とを有し、第２の構造部８１２の内側は、指針６の回転中心に近づくに従って高さ寸法が小さくなる傾斜面として設けられている。
【００２２】
連結部８２は、筒状部材７の外側に配置されると共に、その開口端部には、光源Ｌ２に対向する受光部８２１が形成され、この受光部８２１を通じて連結部８２内に導かれた光によって各透光体８１が発光するようになっており、連結部８２と透光体８１との連結箇所外周面には、連結部８２に導かれた光を透光体８１側に反射する略「Ｖ」字型の反射部８２２が設けられている。なお本例では光源Ｌ２は青色に発光する。
【００２３】
このように構成された計器装置において、光源Ｌ１，Ｌ２が点灯すると、指標部５２は白色に、指針６は赤色に、各透光体８１は青色に発光する。なおこの際、透光対８１自体は青色に発光するが、太目盛５２１は第１の構造部８１１を通じて白色に発光するのが視認される。
【００２４】
以上の通り、本実施形態では、指針６と、この指針６の指示対象となる指標部５２が設けられた表示板５と、この表示板５の前方に配置され指針６の作動範囲を取り巻く筒状部材７とを備え、表示板５の前方に光源Ｌ２からの光を受けて発光する立体構造物でなる複数の透光体８１を設け、筒状部材７透光体８１を収容すると共にその一部を突出させる収容部７１を設けたことにより、光源Ｌ２の点灯時に立体的な見栄えを実現することができる。すなわち、立体造形物でなる複数の透光体８１を表示板５上に配置するだけでなく、筒状部材７の収容部７１から突出させたことにより、透光体８１の立体造形を際だたせることができ、立体感に富んだ見栄えを実現できる。
【００２５】
また本実施形態では、透光体８１が指針動作に対応した目盛の一部を構成することにより、計器としての視認性を向上させることができる。
【００２６】
また本実施形態では、複数の透光体８１が連結部８２を通じて一体化されることにより、部品数を削減でき、また連結部８２を通じて導かれた光によって各透光体８１を発光させることにより光源Ｌ２の数が削減できると共に照明効率を向上させることができ、また連結部８２を筒状部材の遮蔽部７２にて隠蔽することにより不要箇所を不可視として見栄えを向上させることができる。
【００２７】
また本実施形態では、連結部８２と透光体８１との連結箇所に連結部８２に導かれた光を透光体８１側に反射する反射部８２２を設けたことにより、透光体８１の照明効率を向上させることができる。
【００２８】
また本実施形態では、透光体８１が表示板５に沿って伸びる第１の構造部８１１と収容部７１から露出する第２の構造部８１２とを有することにより、立体造形を際だたせることができる。
【００２９】
なお本実施形態では、透光部材８を発光させるにあたり、専用の光源Ｌ２を設けたが、表示板５に光透過可能なエリアを設定し、この透光可能エリアを通じて透光部材８または透光体８１に至る光源Ｌ１の光にて、透光体８１を発光させても良い。本実施形態では、連結部８２の開口端部に専用の光源Ｌ２を対向配置したが、例えば開口端部に回路基板１側に延びる延長部を設定し、この延長部の端部を回路基板１上に設けた光源Ｌ２に対向配置してもよい。
【００３０】
また本実施形態では、透光体８１が目盛の一部を形成する例を示したが、立体感を演出または付加することができれば、単なる装飾部材として採用しても良いし、各透光体８１と他の専用光源とを組み合わせることにより補助的目盛や範囲表示部（例えば、いわゆるサーキュラー表示）として利用することも可能である。
【００３１】
また本実施形態では、透光体８１を表示板５上に配置したが、透光体８１は少なくともその一部が表示板５上に位置すれば良く、表示板５の孔や切り欠きから透光体８１が突出するように設けても良い。
【図面の簡単な説明】
【００３２】
【図１】本発明の実施形態による計器装置の正面図。
【図２】図１のＡ−Ａ断面図。
【図３】図１のＢ−Ｂ断面図。
【図４】本実施形態による透光部材を示す平面図。
【図５】本実施形態による透光体とその周辺部を示す要部斜視図。
【符号の説明】
【００３３】
１  回路基板
２  指針軸
３  駆動装置
４  枠体
５  表示板
６  指針
７  筒状部材
８  透光部材
Ｌ１  光源
５１  地部
５２  指標部
５３  透光性基材
５２ａ  数字部
５２ｂ  目盛部
５２１  太目盛
５２２  細目盛
７１  収容部
７２  隠蔽部
８１  透光体
８２  連結部
７１ａ  開口部
８１１  第１の構造部
８１２  第２の構造部
８２１  受光部
８２２  反射部
【図１】
2006126048.tif 000003
【図２】
2006126048.tif 000004
【図３】
2006126048.tif 000005
【図４】
2006126048.tif 000006
【図５】
2006126048.tif 000007